(57)【要約】【課題】  構造が簡易であって、刃体の取付作業を簡単に行うことができる、替え刃式かみそりのホルダーを提供する【解決手段】  替え刃式かみそりのホルダー１ａは、ホルダー本体４と柄５とを備える。ホルダー本体４は、刃体２を着脱可能に取り付けるための取付部３を有するとともに、柄５の第一の側板１０および第二の側板１１間に折り畳まれるように、柄５に対して回動可能に連結されている。ここで、取付部３は、刃体２が挿入される、挿入溝８を有する。そして、挿入溝８の奥側には、刃体２を吸着して保持する磁石９が設けられている。【選択図】  図１
2005304965.tif 000002
【特許請求の範囲】
【請求項１】
刃体を着脱可能に取り付けるための取付部を有するホルダー本体と、柄とを備え、
前記取付部は、前記刃体が挿入される挿入溝を有し、
その挿入溝の奥側には、前記刃体を吸着して保持する磁石が設けられていることを特徴とする、替え刃式かみそりのホルダー。
【請求項２】
前記柄は、第一および第二の側板を有し、
前記ホルダー本体は、前記第一および第二の側板間に折り畳まれるように、前記柄に対して回動可能に連結されていることを特徴とする、請求項１に記載の替え刃式かみそりのホルダー。
【請求項３】
前記柄は、前記ホルダー本体が折り畳まれた状態において、前記刃体を挟持することが可能な挟持部を備えることを特徴とする、請求項２に記載の替え刃式かみそりのホルダー。
【請求項４】
前記挟持部は、
前記第一の側板に設けられるとともに、前記ホルダー本体が折り畳まれた状態において、前記第一の側板の外側から前記第二の側板に向かって押圧されることで、前記刃体の一方の側面と当接する、第一の当接部と、
前記第二の側板に前記第一の当接部と対向位置して設けられるとともに、前記ホルダー本体が折り畳まれた状態において、前記第二の側板の外側から前記第一の側板に向かって押圧されることで、前記刃体の他方の側面と当接する、第二の当接部とからなることを特徴とする、請求項３に記載の替え刃式かみそりのホルダー。
【請求項５】
前記第一および第二の側板は、可撓性を備えた素材からなり、
前記第一の当接部は、前記第一の側板の内面に、前記第二の側板に向かって突出形成され、
前記第二の当接部は、前記第二の側板の内面であって、前記第一の当接部と対面する位置に、前記第一の当接部との間に前記刃体の厚み以上の間隙を形成するようにして、前記第一の当接部に向かって突出形成されることを特徴とする、請求項４に記載の替え刃式かみそりのホルダー。
【請求項６】
請求項１ないし５のいずれか１項に記載の替え刃式かみそりのホルダーと、前記刃体とからなる替え刃式かみそり。
【発明の詳細な説明】
【技術分野】
【０００１】
この発明は、刃体が交換着脱可能な、替え刃式かみそりのホルダーおよび替え刃式かみそりに関するものである。
【背景技術】
【０００２】
従来の替え刃式かみそりとしては、例えば、図９ないし図１１に示す、かみそりがあった。このかみそり５０は、柄５１の先に取付部５２を有するホルダー本体５３と、そのホルダー本体５３に、その長手方向にスライド可能に取り付けられる刃受け部５４とを備えていた。そして、刃受け部５４は、替え刃としての刃体５５の一方の側面と当接する刃受け面５４ａと、前記長手方向に延びるように形成された案内溝５４ｂとを有する板状体からなり、その上面には、刃受け部５４を前記ホルダー本体５３に保持するための、弓なりに湾曲された板バネ５４ｃが設けられていた。また、刃受け面５４ａには、前記刃体５５に設けられた、複数の長孔状の取付孔５５ａ、５５ａに嵌め込まれる、複数の突起５４ｄ、５４ｄが設けられていた。一方、取付部５２には、刃体５５の他方の側面と当接する取付面５２ａと、前記案内溝５４ｂに対して相対的にスライド可能に嵌め込まれる、前記長手方向に延びる突条５２ｂとが設けられていた。
【０００３】
そして、図９に示すように、刃体５５の取付孔５５ａ、５５ａに、刃受け部５４の刃受け面５４ａに設けられた突起５４ｄ、５４ｄを嵌め込むようにして、刃体５５を刃受け面５４ａに当接させる。そして、刃体５５を刃受け面５４ａに当接させた状態を保持しながら、刃受け部５４を柄５１側に押し込む（図１１に示した状態。）。これにより、刃体５５は、刃受け面５４ａと取付面５２ａとによって挟持されるとともに、突起５４ｄ、５４ｄによってずれることなく保持されるようにして、本体５３に取り付けられた。
【０００４】
また、他の替え刃式かみそりとしては、刃体を着脱可能に取り付けるための取付部が、開閉動により互いに接近あるいは離反する、刃受け部と刃押え部とで構成され、それら両者間において刃体を挟んで保持する構造のものがあった。そして、この替え刃式かみそりには、スライド操作によって、前記刃受け部と前記刃押え部とを閉じた状態に保持したり、あるいはその保持を解除するための操作部材が、前記刃受け部と刃押え部との間に設けられていた。
【０００５】
よって、前記操作部材を、一方向にスライドさせて、前記刃受け部と刃押え部とを開状態にすることにより、刃体を、前記刃受け部と刃押え部との間に挿入することができた。その後、前記操作部材を、反対方向にスライドさせると、前記刃受け部と刃押え部とが閉状態となり、したがって、前記刃体は、前記刃受け部と刃押え部とに挟持されるようにして、取り付けられた。
【発明の開示】
【発明が解決しようとする課題】
【０００６】
ところで、前記かみそり５０は、その構造が複雑であるという問題があった。また、前記かみそり５０においては、刃体５５を、刃受け面５４ａと取付面５２ａとの間でずれることなく保持するために、前記刃受け面５４ａに設けられた突起５４ｄ、５４ｄが嵌まり込む取付孔５５ａ、５５ａを、刃体５５に加工する必要があった。
【０００７】
また、前記他の替え刃式かみそりにおいては、刃体を取り付けるに際して、刃体が刃受け部と刃押え部との間に傾いて挿入されてしまうと、その刃体の刃先部が均等に露出しないため、前記刃体を押し込み直すなどしてその傾きをなくす面倒があった。
【０００８】
この発明は、上記従来の欠点を解決するためになされたものであり、その目的とするところは、簡易な構造にして、しかも、刃体の取付作業を簡単に行うことができる、替え刃式かみそりのホルダーおよび替え刃式かみそりを提供することにある。
【課題を解決するための手段】
【０００９】
この発明に係る替え刃式かみそりのホルダーおよび替え刃式かみそりは、前記目的を達成するために、次の構成からなる。すなわち、
請求項１に記載の発明に係る替え刃式かみそりのホルダーは、刃体を着脱可能に取り付けるための取付部を有するホルダー本体と、柄とを備える。そして、前記取付部は、前記刃体が挿入される挿入溝を有し、その挿入溝の奥側には、前記刃体を吸着して保持する磁石が設けられていることを特徴とする。
【００１０】
これにより、刃体は、挿入溝に挿入されると、磁石の吸着力によって、その挿入溝内に保持され、ホルダー本体の取付部に取り付けられる。また、刃体を、挿入溝内に挿入する際に、磁石が刃体を挿入溝の奥側に引き込むように吸着することから、刃体を挿入溝の奥側に向かって押し込まなくても、刃体は、挿入溝の奥側までしっかり挿入されることとなるので、刃体の取付作業を簡単に行うことができる。
【００１１】
また、請求項２に記載の発明に係る替え刃式かみそりのホルダーのように、請求項１に記載の替え刃式かみそりのホルダーにおいて、前記柄は、第一および第二の側板を有し、前記ホルダー本体は、前記第一および第二の側板間に折り畳まれるように、前記柄に対して回動可能に連結されているのが望ましい。このように、ホルダー本体が、柄に対して回動可能であるので、かみそりを使用しないときには、ホルダー本体を折り畳むようにすることで、安全に保管することができる。
【００１２】
また、請求項３に記載の発明に係る替え刃式かみそりのホルダーのように、請求項２に記載の替え刃式かみそりのホルダーにおいて、前記柄は、前記ホルダー本体が折り畳まれた状態において、前記刃体を挟持することが可能な挟持部を備えてもよい。これによれば、ホルダー本体が折り畳まれ、かつ、刃体が挟持部で挟持された状態で、前記ホルダー本体を、柄から離れるように回動すると、刃体は、挿入溝から抜き取られる。したがって、刃体に指で直接触れることなく、その刃体をホルダー本体の取付部から取り外すことができ、刃体の取り外し作業が安全である。
【００１３】
また、請求項４に記載の発明に係る替え刃式かみそりのホルダーのように、請求項３に記載の替え刃式かみそりのホルダーにおいて、前記挟持部は、前記第一の側板に設けられるとともに、前記ホルダー本体が折り畳まれた状態において、前記第一の側板の外側から前記第二の側板に向かって押圧されることで、前記刃体の一方の側面と当接する、第一の当接部と、前記第二の側板に前記第一の当接部と対向位置して設けられるとともに、前記ホルダー本体が折り畳まれた状態において、前記第二の側板の外側から前記第一の側板に向かって押圧されることで、前記刃体の他方の側面と当接する、第二の当接部とからなってもよい。これにより、第一の当接部および第二の当接部を押圧すると、第一の当接部が刃体の一方の側面に当接し、かつ、第二の当接部が刃体の他方の側面に当接するので、刃体は、第一の当接部および第二の当接部によって挟持されることとなる。
【００１４】
また、請求項５に記載の発明に係る替え刃式かみそりのホルダーのように、請求項４に記載の替え刃式かみそりのホルダーにおいて、前記第一および第二の側板は、可撓性を備えた素材からなり、前記第一の当接部は、前記第一の側板の内面に、前記第二の側板に向かって突出形成され、前記第二の当接部は、前記第二の側板の内面であって、前記第一の当接部と対面する位置に、前記第一の当接部との間に前記刃体の厚み以上の間隙を形成するようにして、前記第一の当接部に向かって突出形成されてもよい。これによれば、第一の側板および第二の側板をそれぞれに向かって押圧することで、すなわち、第一および第二の側板を摘むように力を加えることで、それら第一および第二の側板が撓み、第一の当接部が刃体の一方の側面に当接し、かつ、第二の当接部が刃体の他方の側面に当接するので、刃体は、第一の当接部および第二の当接部によって挟持されることとなる。
【００１５】
請求項６に記載の発明に係る替え刃式かみそりは、請求項１ないし５のいずれか１項に記載の替え刃式かみそりのホルダーと、前記刃体とからなるものである。
【発明の効果】
【００１６】
この発明に係る替え刃式かみそりのホルダーおよび替え刃式かみそりによれば、簡易な構造で、刃体を着脱可能に取り付けることができる。また、刃体を挿入溝内に挿入する際に、磁石が刃体を挿入溝の奥側に引き込むように吸着することから、刃体を挿入溝の奥側に向かって押し込まなくても、刃体は、挿入溝の奥側までしっかり挿入されるので、刃体の取付作業を簡単に行うことができる。
【発明を実施するための最良の形態】
【００１７】
以下、この発明に係る替え刃式かみそりのホルダーおよび替え刃式かみそりを実施するための最良の形態を図面に基づいて説明する。
【００１８】
図１ないし図６は、この発明に係る替え刃式かみそりのホルダーおよび替え刃式かみそりの一実施の形態を示す。図中符号１は、この発明に係る替え刃式かみそりであって、ホルダー１ａと刃体２とからなる。ホルダー１ａは、刃体２を着脱可能に取り付けるための取付部３を有するホルダー本体４と、持ち手となる柄５とを備えている。そして、ホルダー本体４は、そのホルダー本体４の基端側（詳しくは、後述する腕部７の中間部）および柄５の先端側（詳しくは、後述する第一の側板１０および第二の側板１１の先端部）を貫くように設けられる、支軸６によって、前記柄５に対して回動可能に（詳しくは、前記第一の側板１０および前記第二の側板１１間に折り畳まれるように、前記柄５に対して回動可能に）連結されている。
【００１９】
具体的には、ホルダー本体４は、基端側が反り上がるようにやや湾曲形成された棒状の腕部７と、その先端側に延設された取付部３とからなる。取付部３は、前記刃体２が、その刃先部が取付部３の下端３ｃより露出するようにして挿入される、挿入溝８を有する。この挿入溝８は、前記取付部３の先端３ａおよび基端３ｂ並びに下端３ｃに開口し、かつ、前記ホルダー本体４の長手方向に沿って延びるように形成されている。そして、前記挿入溝８の奥側には、前記刃体２を吸着して保持する磁石９が設けられている。図示実施の形態においては、挿入溝８は、前記取付部３の先端３ａおよび基端３ｂ並びに下端３ｃに開口するとともに、その幅寸法が前記刃体２の厚さ寸法とほぼ同一、あるいは、若干大きく形成されてなる、第一溝部８ａと、その第一溝部８ａの上方に位置するとともに、前記第一溝部８ａの幅寸法よりも大きな幅寸法を備えるように形成されてなる、第二溝部８ｂとからなっている。ここで、前記第二溝部８ｂは、前記第一溝部８ａと連通するとともに、前記取付部３の先端３ａおよび基端３ｂに開口している。そして、この第二溝部８ｂには、前記磁石９が複数個（図示実施の形態においては、４個）前記ホルダー本体４の長手方向に、詳しくは、前記先端３ａ近辺領域から前記基端３ｂ近辺領域に渡って、相互に間隔をあけるようにして、並んで設けられている。
【００２０】
柄５は、例えば、合成樹脂等の可撓性を備えた素材からなる、第一の側板１０と第二の側板１１とを有する。そして、第一の側板１０および第二の側板１１の互いに対面する内面には、中間部分および基端部分において、それぞれに向かって突出形成された中間突部１０ａ、１１ａおよび基端突部１０ｂ、１１ｂとが形成されている。これら中間突部１０ａ、１１ａおよび基端突部１０ｂ、１１ｂは、前記第一の側板１０および第二の側板１１間に、前記ホルダー本体４が折り畳まれて入り込むことができるように、前記第一の側板１０および前記第二の側板１１間の間隙を一定に保つ。さらに、前記中間突部１０ａ、１１ａは、前記ホルダー本体４が折り畳まれたとき、前記取付部３の一部（図示実施の形態においては、その基端側）を受け止めて、ホルダー本体４が、第一の側板１０と第二の側板１１との間から飛び出ないように規制するストッパ１２となっている。
【００２１】
また、前記柄５は、前記ホルダー本体４が折り畳まれた状態において、前記刃体２（図示実施の形態においては、刃体２の刃先部）を挟持することが可能な挟持部１３を備えている。詳しくは、挟持部１３は、前記第一の側板１０に設けられるとともに、前記ホルダー本体４が折り畳まれた状態において、前記第一の側板１０の外側から前記第二の側板１１に向かって押圧されることで、前記刃体２（図示実施の形態においては、刃体２の刃先部）の一方の側面２ａと当接する、第一の当接部１４と、前記第二の側板１１に前記第一の当接部１４と対向位置して設けられるとともに、前記ホルダー本体４が折り畳まれた状態において、前記第二の側板１１の外側から前記第一の側板１０に向かって押圧されることで、前記刃体２（図示実施の形態においては、刃体２の刃先部）の他方の側面２ｂと当接する第二の当接部１５とからなる。図示実施の形態においては、前記第一の当接部１４は、前記第一の側板１１の内面（上部内面）に、詳しくは、前記中間突部１０ａと前記基端突部１０ｂとの間の内面（上部内面）に、前記第二の側板１１に向かって突出形成されている。一方、前記第二の当接部１５は、前記第二の側板１１の内面（上部内面）であって、前記第一の当接部１４と対面する位置に、その第一の当接部１４との間に前記刃体２（図示実施の形態においては、刃体２の刃先部）の厚み以上の間隙を形成するようにして、前記第一の当接部１４に向かって突出形成されている。また、前記第一の側板１０の外面には、前記第一の側板１０の厚み方向に窪むように形成された、指かけ用の凹部１６が設けられている。そして、凹部１６には、前記第一の当接部１４の真下に位置するように、柄５の長手方向に細長状に貫通形成されたスリット１６ａが設けられている。一方、第二の側板１１の外面には、前記第二の側板１１の厚み方向に窪むように形成された、指かけ用の凹部１７が設けられている。そして、凹部１７には、前記第二の当接部１５の真下に位置するように、柄５の長手方向に細長状に貫通形成されたスリット１７ａが設けられている。
【００２２】
次に、以上の構成からなる替え刃式かみそり１の作用効果について説明する。この替え刃式かみそり１によれば、刃体２を挿入溝８内に、取付部３の下端３ｃ側の開口から挿入すると、磁石９、９の吸着力によって、その挿入溝８内に保持されるようにして、ホルダー本体４の取付部３に取り付けられる。ここで、前記刃体２を、挿入溝８内に挿入する際に、磁石９、９が刃体２を挿入溝８の奥側に引き込むように吸着することから、刃体２を挿入溝８の奥側に向かって押し込まなくても、刃体２は、挿入溝８の奥側までしっかり挿入され、かつ、その刃先部が取付部３の下端３ｃより均等に露出することとなるので、刃体２の取付作業を簡単に行うことができる。
【００２３】
また、ホルダー本体４は、支軸６によって、第一の側板１０と第二の側板１１間に折り畳まれるように、柄５に対して回動可能となっているので、替え刃式かみそり１を使用しないときには、ホルダー本体４を折り畳むことができる。また、柄５、すなわち、第一の側板１０および第二の側板１１の内面には、ストッパ１２が設けられているので、ホルダー本体４を柄５に対して回動すると、取付部３の基端側がストッパ１２に当接することで、ホルダー本体４が、それ以上回動して柄５から飛び出るのを阻止することができる。したがって、替え刃式かみそり１は、ホルダー本体４が折り畳まれることで、安全に保管される。
【００２４】
また、ホルダー本体４を折り畳んだ状態において、第一の側板１０および第二の側板１１（図示実施の形態においては、凹部１６、１７）を摘むようにして力を加えることで、それら第一の側板１０および第二の側板１１が撓み、第一の当接部１４が刃体２の一方の側面２ａに当接し、かつ、第二の当接部１５が刃体２の他方の側面２ｂに当接するので、刃体２は、第一の当接部１４および第二の当接部１５、すなわち、挟持部１３によって挟持されることとなる。ここで、凹部１６、１７には、スリット１６ａ、１７ａが形成されているので、第一の側板１０および第二の側板１１は、第一の当接部１４部分および第二の当接部１５部分、すなわち、挟持部１３部分において、撓み易くなっている。そして、刃体２が第一の当接部１４および第二の当接部（挟持部１３）によって挟持された状態で、前記ホルダー本体４を、柄５から離れるように回動すると、刃体２は、挿入溝８内から抜き取られる。したがって、刃体２に指で直接触れることなく、その刃体２をホルダー本体４の取付部３から取り外すことができ、刃体２の取り外し作業が安全である。
【００２５】
なお、本発明は、上述した実施の形態に限定されるわけではなく、その他種々の変更が可能である。例えば、取付部３は、図７および図８に示すように、腕部７の先端に延設されてなる第一の取付部２０と、その第一の取付部２０に、雄ネジ等の固着具Ｓ、Ｓによって取り付けられる、第二の取付部２１とからなってもよい。ここで、第一の取付部２０の内面には、長手方向に沿って延びるように窪んで形成される凹段部２２が設けられ、第二の取付部２１の内面には、長手方向に沿って延びるように窪んで形成される凹段部２３が設けられている。そして、これら凹段部２２、２３は、第一の取付部２０に第二の取付部２１が取り付けられると、刃体２が挿入される挿入溝８を形成することとなる。図示実施の形態においては、凹段部２２は、第一の取付部２０の下端２０ａ側に位置する第一凹段部２２ａと、その第一凹段部２２ａよりも上方側に位置するとともに、前記第一凹段部２２ａよりも深く窪む第二凹段部２２ｂとからなり、凹段部２３も同様にして、第二の取付部２１の下端２１ａ側に位置する第一凹段部２３ａと、その第一凹段部２３ａよりも上方側に位置するとともに、前記第一凹段部２３ａよりも深く窪む第二凹段部２３ｂとからなっている。そして、第二凹段部２２ｂ、２３ｂの間に挟まれるようにして、磁石９が設けられている。これによれば、凹段部２２、２３によって形成される挿入溝８に刃体２を挿入することで、刃体２は、取付部３に簡単に取り付けられる。
【００２６】
また、第一の当接部１４は、第一の側板１０の外側から第二の側板１１に向かって押圧されることで、刃体２に当接することができるものであればよく、必ずしも、第一の側板１０の内面に突出形成されてなる必要はない。例えば、第一の当接部１４は、第一の側板１０に、その外側から内面に通ずるように貫通形成された貫通孔に、先端が刃体２の一方の側面２ａに当接することができるように、前記刃体２に対して進退可能に設けられるピン部材によって構成されてもよい。同様に、第二の当接部１５も、第二の側板１１に、その外側から内面に通ずるように貫通形成された貫通孔に、先端が刃体２の他方の側面２ｂに当接することができるように、前記刃体２に対して進退可能に設けられるピン部材によって構成されてもよい。
【００２７】
また、挟持部３は、必ずしも設けられる必要はない。
【００２８】
また、挿入溝８の奥側に設けられる磁石９の個数は、単数であっても構わない。
【００２９】
また、ホルダー本体４は、柄５に対して回動可能に連結される必要はなく、ホルダー本体４と柄５とが回動することなく固着連結されたり、両者が一体的に成形されたりしてもよい。また、例えば、ホルダー本体４の腕部７自体が、柄５として機能してもよい。
【図面の簡単な説明】
【００３０】
【図１】この発明に係る替え刃式かみそりのホルダーおよび替え刃式かみそりの、一実施の形態を示す正面図である。
【図２】同じく、取付部の縦断面図である。
【図３】同じく、図１におけるＡ−Ａ線による拡大断面図である。
【図４】同じく、ホルダー本体を折り畳んだ状態の正面図である。
【図５】同じく、図４におけるＢ−Ｂ線による拡大断面図である。
【図６】同じく、ホルダー本体を折り畳んだ状態の平面図である。
【図７】この発明に係る替え刃式かみそりのホルダーおよび替え刃式かみそりの、変形例を示す背面図である。
【図８】同じく、図７におけるＣ−Ｃ線による拡大断面図である。
【図９】従来の替え刃式かみそりの、刃体を着脱するときの状態を示す正面図である。
【図１０】同じく、刃体を着脱するときの状態を示す背面図である。
【図１１】同じく、使用状態を示す正面図である。
【符号の説明】
【００３１】
１    替え刃式かみそり                    １ａ  ホルダー
２    刃体                                ３    取付部  
４    ホルダー本体                        ５    柄
８    挿入溝                              ９    磁石
１０  第一の側板                          １１  第二の側板
１３  挟持部                              １４  第一の当接部
１５  第二の当接部
【図１】
2005304965.tif 000003
【図２】
2005304965.tif 000004
【図３】
2005304965.tif 000005
【図４】
2005304965.tif 000006
【図５】
2005304965.tif 000007
【図６】
2005304965.tif 000008
【図７】
2005304965.tif 000009
【図８】
2005304965.tif 000010
【図９】
2005304965.tif 000011
【図１０】
2005304965.tif 000012
【図１１】
2005304965.tif 000013